(57)【要約】  【課題】構造の複雑化を抑制し得る背カバーを備えた椅子を提供する。  【解決手段】背板３と、この背板３の少なくとも一部を覆う背カバーＴとを備えた椅子Ｓであって、前記背板３が、周縁部の少なくとも一部に外方に向けて開放された溝を備えてなり、前記背カバーＴが、前記溝に挿入された挿入部Ｔ２を備えてなるものとした。この実施形態に示す椅子Ｓであれば、構造の複雑化を抑制し得る背カバーＴを備えた椅子Ｓを提供することができる。【選択図】図１
2018130630.tif 000002
【特許請求の範囲】
【請求項１】
背板と、この背板の少なくとも一部を覆う背カバーとを備えた椅子であって、
前記背板が、周縁部の少なくとも一部に外方に向けて開放された溝を備えてなり、前記背カバーが、前記溝に挿入された挿入部を備えてなることを特徴とする椅子。
【請求項２】
前記背板が、合成樹脂により肘掛けと一体に成形されたものであり、前記溝が前記背板の下縁に形成されている請求項１記載の椅子。
【請求項３】
前記溝が、下向きに開口しており前記背板の下縁における左右の肘掛け間に形成されている請求項２記載の椅子。
【請求項４】
前記背カバーが、上部に背板に被せるための袋状部を備えるとともに下部に前記背板の下縁に設けた溝に挿入された前記挿入部を備えたものである請求項１、２又は３記載の椅子。
【請求項５】
前記溝が前記背板の上縁及び下縁にそれぞれ形成されており、
前記背カバーが、上部及び下部のそれぞれに前記溝に挿入された前記挿入部を備えている請求項１記載の椅子。
【発明の詳細な説明】
【技術分野】
【０００１】
本発明は、背カバーを備えた椅子に関する。
【背景技術】
【０００２】
従来から、背板とこの背板の少なくとも一部を覆う背カバーとを備えた椅子が知られている（例えば、特許文献１を参照）。
【０００３】
従来の背カバーは、シート状のカバー本体により背板の前後を覆うとともに、このカバー本体の縁部間をファスナー等の連結具によって連結することにより、背板を包むようにカバーしている。
【０００４】
ところが、このようなものであると、背カバーにファスナー等の連結具を設ける必要があるため、構造が複雑化しやすいものとなっていた。
【先行技術文献】
【特許文献】
【０００５】
【特許文献１】特開２０１０−２５９６９３号公報
【発明の概要】
【発明が解決しようとする課題】
【０００６】
本発明は、以上のような事情に着目してなされたもので、構造の複雑化を抑制し得る背カバーを備えた椅子を提供することにある。
【課題を解決するための手段】
【０００７】
すなわち、本発明の椅子は次の構成をなしている。
【０００８】
請求項１に記載の椅子は、背板と、この背板の少なくとも一部を覆う背カバーとを備えた椅子であって、前記背板が、周縁部の少なくとも一部に外方に向けて開放された溝を備えてなり、前記背カバーが、前記溝に挿入された挿入部を備えてなるものである。
【０００９】
請求項２に記載の椅子は、請求項１に係る構成において、前記背板が、合成樹脂により肘掛けと一体に成形されたものであり、前記溝が前記背板の下縁に形成されているものである。
【００１０】
請求項３に記載の椅子は、請求項２に係る構成において、前記溝が、下向きに開口しており前記背板の下縁における左右の肘掛け間に形成されているものである。
【００１１】
請求項４に記載の椅子は、請求項１、２又は３に係る構成において、前記背カバーが、上部に背板に被せるための袋状部を備えるとともに下部に前記背板の下縁に設けた溝に挿入された前記挿入部を備えたものである。
【００１２】
請求項５に記載の椅子は、請求項１に係る構成において、前記溝が前記背板の上縁及び下縁にそれぞれ形成されており、前記背カバーが、上部及び下部のそれぞれに前記溝に挿入された前記挿入部を備えているものである。
【発明の効果】
【００１３】
以上説明したように本発明によれば、構造の複雑化を抑制し得る背カバーを備えた椅子
を提供することができる。
【図面の簡単な説明】
【００１４】
【図１】本発明の一実施形態を示す斜視図。
【図２】同実施形態における正面図。
【図３】同実施形態における平面図。
【図４】同実施形態における側面図。
【図５】同実施形態における椅子に他の椅子をスタッキングした状態を示す側面図。
【図６】同実施形態における分解斜視図。
【図７】同実施形態における分解背面図。
【図８】同実施形態における後方斜視図。
【図９】図４におけるＡ−Ａ線拡大断面図。
【図１０】図４におけるＢ−Ｂ線拡大断面図。
【図１１】図３におけるＣ−Ｃ線拡大断面図。
【図１２】同実施形態における背カバーを取り付けた状態の中央側断面図。
【図１３】図３におけるＤ−Ｄ線拡大断面図。
【図１４】他の実施形態を示す図１２対応の概略中央側断面図。
【発明を実施するための形態】
【００１５】
以下、本発明の一実施形態を、図１〜１３を参照して説明する。
【００１６】
この実施形態は、本発明を細径のパイプ材を使用した椅子Ｓに適用したものである。この椅子Ｓは、例えば、オフィスや一般的な会議室、或いは、高齢者の多い施設等において好適に使用される。
【００１７】
椅子Ｓは、肘掛け２及び背凭れである背板３が樹脂により一体に形成されている。そして、肘掛け２の前後方向の寸法は比較的短寸に設定されており、この肘掛け２の前側の部位を、支持フレーム１の左右の後脚１１の上端部に接続させている。すなわち、肘掛け２の肘掛け本体２１は支持フレーム１によって片持ち梁状に支持されており、背板３は肘掛け２を介して支持フレーム１に支持されている。椅子Ｓは、図５において具体的に示すように、同一構造をなす他の椅子Ｓ’を上下方向に複数スタッキング可能に構成されている。なお、説明の便宜上、図５において、椅子Ｓと同一構造をなす他の椅子Ｓ’の符号には「’」を付している。
【００１８】
椅子Ｓは、支持フレーム１と、この支持フレーム１に支持された肘掛け２、背板３、及び、座４とを備えている。背板３には、背カバーＴが着脱可能に取り付けられるようになっている。以下、詳述する。
【００１９】
＜支持フレーム＞
支持フレーム１は、金属製のパイプ材ｔ１を主体に構成されている。本実施形態の椅子Ｓは、パイプ材ｔ１として直径１５ｍｍ以下のものを適用することができ、具体的には、直径約１３．１ｍｍのパイプ材ｔ１が使用されている。支持フレーム１は、上端部で肘掛け２の前側の部位に接続する後脚１１と、後脚１１の下端部に連続させて前方に延出するベース１２と、ベース１２の前端に連続し上方に起立する前脚１３と、前脚１３の上端に連続し後方に延出する座受１４とを備え、これらを共通のパイプ材ｔ１により一体に形成したものである。
【００２０】
後脚１３と座受１４は側面視において交差している。後脚１３と座受１４とは、側面視における後脚１３と座受１４とが交差する位置において、水平杆１５を介して相互に剛結されている。水平杆１５を介して接続する後脚１３及び座受１４の各部分は左右方向に離
間している。座受１４は、後脚１３よりも内側に位置している。座受１４の後端は、側面視において後脚１１と座受１４とが交差する位置よりも後方に位置している。
【００２１】
左右の座受１４間には、座４を支持するための帯状をなす前横架材１６と後横架材１７が架設されている。左右のベース１２の前側と後側の部位には、ブロック状をなす樹脂製の接地体１８が取り付けられている。図５に示すように、椅子Ｓに、同一構造をなす他の椅子Ｓ’をスタッキングする際には、他の椅子Ｓ’の接地体１８’の下面が支持フレーム１のベース１２の上面に接するようになっている。
【００２２】
支持フレーム１は、側面視においてループ構造を有している。具体的には、後脚１１と座受１４とがこれらに介在する水平杆１５に対してそれぞれ溶着されており、後脚１１、ベース１２、前脚１３、座受１４、水平杆１５とによって、剛性に優れた閉ループ構造を形成している。
【００２３】
後脚１１は、側面視において床面等の水平面に対して約６５〜７０°の範囲で前傾している。後脚１１の上端部には、肘掛け２の被取付部ｕが取り付けられる取付部ｔを備えている。
【００２４】
取付部ｔは、上方に向かって凸形状を成すものであり、金属製のパイプ材ｔ１と、パイプ材ｔ１の中空部ｔ１１を埋めるように当該中空部ｔ１１に配されるとともに一部分をパイプ材ｔ１の端部から突出させた金属製の芯金部材ｔ２とを備えている。なお、図示している芯金部材ｔ２は、中実のものであるが、中空パイプ状のものであってもよい。また、取付部ｔは、パイプ材ｔ１の要素と中実の芯金部材ｔ２の要素とを一体的に形成したものであっても良い。芯金部材ｔ２におけるパイプ材ｔ１の端部から突出させた突出部分ｔ２１には、芯金部材ｔ２の軸心と直交する方向に第一のねじ孔ｈ１が穿設されている。芯金部材ｔ２は、図６に隠れ線で示すように、後脚１１を構成するパイプ材ｔ１の内部にまで延伸し、当該芯金部材ｔ２の下端は、後脚１１の下部にまで延びており、パイプ材ｔ１の強度を向上させている。なお、支持フレーム１の取付部ｔと肘掛け２の被取付部ｕとの具体的な取り付けについては後述する。
【００２５】
ベース１２は、床面と略平行に配されるものであり、後脚１１の下端と前脚１３の下端との間を繋いでいる。
【００２６】
＜肘掛け＞
肘掛け２は、背板３と樹脂により一体に形成されたもので、後端が背板３に連設された肘掛け本体２１と、肘掛け本体２１の前端に設けられた被取付部ｕとを備えている。肘掛け本体２１と被取付部ｕとは樹脂により一体に形成されている。
【００２７】
肘掛け本体２１は、前後方向に延びるブロック状のもので、肘当て２１１と、肘当て２１１の下面に添接された補強ブロック２１２とを備えている。
【００２８】
肘当て２１１は、床面等の水平面に対して約７°前傾する肘当て面を有した平板状のものである。もちろん、肘当て面の前傾角度は７°のものには限定されない。このように肘当て面を前傾に構成することで、着座者がどのような体格であっても肘掛け２の機能を有効に使うことができるものとなるとともに、着座者が立ち上がる際の補助的機能を有効に発揮するものとなる。肘当て２１１は、その後端部分を背板３における両側端の背面の位置よりも後方に延出させている。肘当て２１１の内側面は、補強ブロック２１２の内側面と面一に設定されている。肘当ての２１１の外側縁は、補強ブロック２１２の外側縁よりも外方に突出している。
【００２９】
補強ブロック２１２は、上縁を肘当て２１１の下面に連続させるとともに前縁を被取付部ｕの外周面に一体化させた複数枚の壁ｋを備えている。本実施形態では、補強ブロック２１２は、左右方向に間隔をあけて平行に配された３枚の壁ｋと、隣接する壁ｋ同士を結合するリブｒとを備えている。リブｒは、図１３に示すように、後方に向かって漸次降下するように傾斜している。また、補強ブロック２１２の後部には、後方に向かって縦長矩形状に開口した後向き開口穴部ｐ１が２箇所に形成され、当該後向き開口穴部ｐ１は左右に並んで設けられている。なお、補強ブロック２１２には、複数の壁ｋの端部とリブｒの端部とによって、下方に向かって縦長矩形状に開口した下向き開口穴部ｐ２が６箇所に形成されている。補強ブロック２１２は、複数の後向き開口穴部ｐ１と下向き開口穴部ｐ２を備えているので、使用者が椅子Ｓを持ち運びする際に各開口穴部ｐ１、ｐ２に手指が引っ掛かり易いものとなり、滑り止めとしての機能を発揮し得るものとなっている。
【００３０】
被取付部ｕは、支持フレーム１の後脚１１に接続する部位をなすもので、下方に開口する有底筒状のものである。被取付部ｕの前後方向の外径寸法は、被取付部ｕの左右方向の外径寸法よりも小さく設定されている。被取付部ｕにおける開口部付近の下端部と肘当て２１１に連設する上端部を除いた部分、すなわち、被取付部ｕにおける上下中間部分における左右方向の外径寸法は、略同じ寸法に設定されている。被取付部ｕは、パイプ材ｔ１の外径よりも小径な突出部分ｔ２１に嵌合する嵌合凹部ｕ１と、パイプ材ｔ１に嵌合する外嵌合部ｕ２とを備えている。換言すれば、被取付部ｕは、突出部分ｔ１が嵌合する小径穴ｍ１と、小径穴ｍ１に連続しパイプ材ｔ１が嵌合する大径穴ｍ２とを具備している。
【００３１】
本実施形態の椅子Ｓは、図５に示すように、同一構造をなす他の椅子Ｓ’の被取付部ｕ’が、被取付部ｕに当接する状態で当該他の椅子Ｓ’をスタッキングできるようになっている。より具体的に言えば、他の椅子Ｓ’の被取付部ｕ’の背面と、椅子Ｓの被取付部ｕの前面とが当接する状態でスタッキングできるようになっている。
【００３２】
そして、図１０に示すように、被取付部ｕにおける支持フレーム１の後側に位置する部位ｕｂ、すなわち、後脚１１の後側に位置する部位ｕｂの肉厚ｗ２は、被取付部ｕにおける支持フレーム１の前側に位置する部位ｕｆ、すなわち、後脚１１の前側に位置する部位ｕｆの肉厚ｗ１よりも薄く設定されている。換言すれば、後脚１１の後側に位置する部位ｕｂの前後方向の厚み寸法ｗ２は、被取付部ｕにおける支持フレーム１の前側に位置する部位ｕｆの前後方向の厚み寸法ｗ１よりも短く設定されている。このようにすることで、スタッキングに伴う前後方向のピッチを短くするようにしている。
【００３３】
被取付部ｕは、側部に第一のねじ挿通孔ｎ１を備えている。そして、芯金部材ｔ２の突出部分ｔ２１に設けられた第一のねじ孔ｈ１に、第一のねじ挿通孔ｎ１を通過したねじｖ１を螺着することにより支持フレーム１の取付部ｔと肘掛け２の被取付部ｕとを取り付けるようにしてある。被取付部ｕは、後部に第二のねじ挿通孔ｎ２を備えている。そして、パイプ材ｔ１及び芯金部材ｔ２に、これらパイプ材ｔ１及び芯金部材ｔ２の軸心と直交する方向に連通して設けられた第二のねじ孔ｈ２に、第二のねじ挿通孔ｎ２を通過したねじｖ２を螺着することにより支持フレーム１の取付部ｔ１と肘掛け２の被取付部ｕとを取り付けるようにしてある。
【００３４】
また、肘掛け２は、図４等に示すように、肘掛け本体２１と被取付部ｕとが側面視においてくの字状に屈曲した形状をなすように樹脂により一体に成形されている。そして、嵌合凹部ｕ１が、肘掛け本体２１と被取付部ｕとによって形成された屈曲部分Ｆに位置するように設定されている。このように構成することにより、荷重が集中し易い屈曲部分Ｆにおける樹脂の肉厚を多く得るようにしている。
【００３５】
なお、本実施形態の椅子Ｓは、肘掛け本体２１とこの肘掛け本体２１の前端に設けられ
た被取付部ｕによって側面視くの字形状を構成しており、一般的な肘掛けのように後部分を片持ち支持されて前部分を突出端としているものとは異なった構成となっている。このため、椅子Ｓは、着座状態から起立する際に着座者の被服等が、肘掛け２に引っ掛かりにくくなり、好適である。
【００３６】
＜背板＞
背板３は、板状をなした樹脂製のものであり、平面視において中央部が平面視において後方に向かって凸となるように湾曲した形状をなしている。背板３は、上端部に側面視において後方に向かって屈曲する屈曲部３１と、下端に外方に向けて開放された溝３２とを備えている。
【００３７】
背板３は、肘掛け２とともに樹脂により一体に成形されたものであり、溝３２は、背板３の下縁における左右の肘掛け２間に形成されている。溝３２は、下向きに開口しているものである。この溝３２は、背カバーＴを取り付ける際に用いられるものであるが、下方に向けて開口しているため、背カバーＴを取り付けない場合であっても外観に影響を与えにくいようになっている。背板３に対する背カバーＴの取り付けについては後述する。
【００３８】
背板３の左右幅寸法は、支持フレーム１の左右のベース１２間の離間寸法よりも短く設定されている。なお、背板３の左右縁部から外側方に突出した態様で設けられた左右の肘掛け２は、左右のベース１２の略真上に位置するように設定されている。
【００３９】
＜座＞
座４は、支持フレーム１に支持されるものであり、樹脂により形成された座本体４１と、座本体４１の上に配されたクッション４２とを備えたものである。座４は、先端部が下方に垂れ下がった形状をなしている。
【００４０】
座本体４１は、左右側縁部における後側の部位に、支持フレーム１の水平杆１５の覆うためのカバー部４１１を備えている。カバー部４１１は、水平杆１５の周囲と後脚１１の前後に位置するようになっており、具体的に言えば、水平杆１５の上面側を覆う上カバー部４１１ａと、水平杆１５の前後側を覆うとともに後脚１１の前後側を覆う位置まで延出した前後カバー部４１１ｂとを備えている。
【００４１】
クッション２２は、クッション性のあるスポンジ素材の外面に張り地を張り設けた通常のものである。
【００４２】
＜背カバー＞
背カバーＴは、背板３の少なくとも一部を覆うものである。背カバーＴは、背カバー本体Ｔ１と、背カバー本体Ｔ１の下部に配された挿入部Ｔ２とを備えてなる。
【００４３】
背カバー本体Ｔ１は、布や人工皮革等のシート状の素材により作られるもので、主として背板３の前面側に配される前カバー部Ｔ１ａと、主として背板３の後面側に配される後カバー部Ｔ１ｂとを備えている。これら前後カバー部Ｔ１ａ、Ｔ１ｂの上縁部及び側縁部同士を縫い合わせることにより、下方に向かって開口された袋状部Ｔ１１が形成されている。このようにして背カバーＴの上部に設けられた袋状部Ｔ１１は、背板３に被せるためのもので、背板３の屈曲部３１と協働して装着時の位置ずれを抑制している。なお、前カバー部Ｔ１ａの後側や袋状部Ｔ１１の内面には、クッション性を付与したり装着安定性を付与したりするべく、別途クッション素材を設けるようにしても良い。
【００４４】
挿入部Ｔ２は、背カバーＴを背板３に取り付ける際に、背板３に形成された溝３２に挿入されるもので、本実施形態においては、背カバー本体Ｔ１の下端に縫いつけられた樹脂
製の帯状部材により構成されている。
【００４５】
背カバーＴの背板３への取り付けは、まず、背板３の上端部に袋状部Ｔ１１を被せて所定の箇所に位置決めし、しかる後に、背カバー本体Ｔ１の下端に設けた挿入部Ｔ２の先端を背板３の下端に形成された溝３２に差し入れて、背カバー本体Ｔ１の下縁部分とともに溝３２の内部に押し込むことにより行われる。
【００４６】
なお、背カバーＴの上部を袋状にして背板３の上部に被せるようにする場合、本実施形態に示すように、背板３の上縁部には溝を設けず、下縁のみに溝３２を設けるようにするのが好適である。このようにすると、背カバーＴを背板３に装着しない場合には、背板３の上縁部には溝が表出しないため外観がすっきりとするものとなり、背カバーＴは上部が袋状をなしているため背板３に対しても位置ずれが抑制された態様で取り付けることができるものとなる。
【００４７】
以上説明したように、本実施形態に係る椅子Ｓは、背板３と、この背板３の少なくとも一部を覆う背カバーＴとを備えており、背板３が、周縁部の少なくとも一部に外方に向けて開放された溝３２を備えてなり、背カバーＴが、溝３２に挿入された挿入部Ｔ２を備えている。このため、背板３に対する背カバーＴの取り付けが、挿入部Ｔ２を溝３２に挿入することにより行われるため、構造の複雑化を抑制し得る背カバーＴを備えた椅子Ｓを提供することができる。
【００４８】
背板３が、合成樹脂により肘掛け２と一体に成形されたものであり、溝３２が背板３の下縁に形成されているので、構造の複雑化が抑制された背カバーＴを取り付ける態様のものにおいても、使用者から見て溝３２の存在が視認されにくく、背板３と一体に設けられた肘掛け２が存在するものにも好適に適用できる背カバーＴを備えた椅子Ｓを提供するものとなる。
【００４９】
背板３の溝３２が、背板３の下縁における左右の肘掛け２間に形成されているので、構造の複雑化が抑制された背カバーＴを取り付ける態様においても、使用者から見て溝３２の存在が視認されにくく、当該視認されにくい溝３２に挿入部Ｔ２を挿入することにより背カバーＴを背板３に好適に取り付けることができるものとなる。しかも、溝３２が、下向きに開口しているので、使用者からより一層視認されにくいものとなるとともに、装着された挿入部Ｔ２が離脱し難いものとなる。
【００５０】
背カバーＴが、上部に背板３に被せるための袋状部Ｔ１１を備えるとともに下部に背板３の下縁に設けた溝３２に挿入された挿入部Ｔ２を備えたものであるので、背板３の上部及び下部に対する取り付けが容易なものとなる。
【００５１】
肘掛け本体２１が、肘当て２１１と、肘当て２１１の下面に添接された補強ブロック２１２とを備えたものであるため、強度に優れた肘掛け本体２１を提供することができ、上下方向の寸法を抑制することによりスタッキング効率の良好に寄与し得るものとなる。
【００５２】
補強ブロック２１２が、上縁を肘当て２１１の下面に連続させるとともに前縁を被取付部ｕの外周面に一体化させた複数枚の壁ｋを備えたものであるので、いわゆる構造材として軽量化に優れるとともに強度に優れたものとなる。
【００５３】
肘掛け本体２１における補強ブロック２１２のリブｒが、後方に向かって漸次降下するように傾斜しているため、個性的な外観の表出に寄与し得るものとなるとともに、壁ｋとリブｒにより構成される下向き開口穴部ｐ２の数や大きさを設定し易いものとなる。
【００５４】
なお、本発明は、以上に詳述した実施形態に限られるものではない。
【００５５】
上述した実施形態では、背カバーＴを取り付けるための溝が、背板の下縁にのみ形成されているものを示したが、これに限定されるものではなく、溝を背板の周囲に適宜形成するようにしてもよい。
【００５６】
例えば、図１４に示すものが考えられる。図１４は他の実施形態を示す部分拡大図であり、上述した実施形態と同一又は対応する構成については同一の符号を用いて説明し、詳細な説明を省略する。図１４に示すように、背板３を、上縁と下縁のそれぞれに溝３２を設けたものとし、これら上縁と下縁の各溝３２にそれぞれ挿入されるべき挿入部Ｔ２を有した背カバーＴを背板３に取り付けるようにするものが考えられる。
【００５７】
上述した実施形態では、背カバーの挿入部が、帯状であるものを示したが、これに限定されるものではない。例えば、挿入部がコード部材や紐等の線状体であってもよい。
【００５８】
上述した実施形態では、被取付部は肘掛けに設けられたものとして説明したが、これに限定されるものではなく、被取付部が背凭れに設けられたものであっても良い。
【００５９】
上述した実施形態では、被取付部が嵌合凹部と外嵌合部とを備えたものを示したが、これに限定されるものではなく、少なくとも取付部の突出部分が内嵌される嵌合凹部を備えたものであれば良い。
【００６０】
上述した実施形態では、被取付部における支持フレーム（後脚）の後側に位置する部位の肉厚が、被取付部における支持フレームの前側に位置する部位の肉厚よりも薄く設定されているものを示したが、これに限定されるものではなく、逆に、被取付部における支持フレームの前側に位置する部位の肉厚が、被取付部における支持フレームの後側に位置する部位の肉厚よりも薄く設定されているものであってもよい。
【００６１】
上述した実施形態では、椅子に同一構造をなす他の椅子をスタッキングする際に、同一構造をなす他の椅子の被取付部ｕが、椅子の被取付部に当接するものを示したが、これに限定されるものではなく、近接するものであれば良い。
【００６２】
上述した実施形態では、支持フレームのループ構造は、水平杆の存在を前提としているものであったが、このようなものには限定されず、水平杆の無い態様でループ構造を形成するようにしても良い。例えば、後脚と座受とを溶接等により直接接続する態様などが考えられる。
【００６３】
上述した実施形態では、椅子に同一構造をなす他の椅子をスタッキング可能なものとして説明していたが、必ずしも同一構造をなす他の椅子をスタッキング可能に構成していなくても良い。
【００６４】
上述した実施形態では、取付部に第一のねじ孔と第二のねじ孔を設け、これらにねじをそれぞれ螺着させて被取付部を取り付けるようにしたいわゆる２箇所ねじ止め構造を有するものについて説明をしたが、必ずしも、このような構成に限定されるものではなく、１箇所ねじ止め構造であってもよい。例えば、第一のねじ孔に第一のねじを螺着して取り付けるだけの構成としても良いし、第二のねじ孔に第二のねじを螺着して取り付けるだけの構成としても良い。
【００６５】
上述した実施形態では、支持フレームが金属パイプ材を主体に構成されたものとしているが、これに限られるものではなく、例えば、金属製の丸棒無垢材を用いたものであって
も良い。
【００６６】
その他、各部の具体的構成についても上記実施形態に限られるものではなく、本発明の趣旨を逸脱しない範囲で種々変形が可能である。
【符号の説明】
【００６７】
１…支持フレーム
２…肘掛け
３…背凭れ
４…座
３２…溝
Ｔ…背カバー
Ｔ１…背カバー本体
Ｔ２…挿入部
Ｔ１１…袋状部
【図１】
2018130630.tif 000003
【図２】
2018130630.tif 000004
【図３】
2018130630.tif 000005
【図４】
2018130630.tif 000006
【図５】
2018130630.tif 000007
【図６】
2018130630.tif 000008
【図７】
2018130630.tif 000009
【図８】
2018130630.tif 000010
【図９】
2018130630.tif 000011
【図１０】
2018130630.tif 000012
【図１１】
2018130630.tif 000013
【図１２】
2018130630.tif 000014
【図１３】
2018130630.tif 000015
【図１４】
2018130630.tif 000016
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
金属製のパイプ材により構成され、後脚と、この後脚の下端部に連続させて前方に延出するベースと、このベースの前端に連続し上方に起立する前脚と、この前脚の上端に連続し後方に延出する座受とを直径１５ｍｍ以下の共通のパイプ材により一体に形成し、側面視において閉ループ構造を有した支持フレームと、この支持フレームに肘掛けを介して支持された背凭れとを備えてなる椅子であって、
前記背凭れと前記肘掛けとが樹脂により一体に成形されたものであり、
前記肘掛けが、前後方向に延び後端が前記背凭れに連設された肘掛け本体と、この肘掛け本体の前端に設けられ前記後脚の上端部に備えた取付部に取り付けられる被取付部とを備えてなり、
前記肘掛け本体と前記被取付部とを側面視において屈曲した形状をなすように一体に成形している椅子。
【手続補正２】
【補正対象書類名】明細書
【補正対象項目名】全文
【補正方法】変更
【補正の内容】
【発明の詳細な説明】
【技術分野】
【０００１】
本発明は、椅子に関する。
【背景技術】
【０００２】
従来から、椅子が知られている（例えば、特許文献１を参照）。
【０００３】
椅子の支持フレームは、剛性に優れた閉ループ構造を形成していることが望ましい。
【０００４】
【先行技術文献】
【特許文献】
【０００５】
【特許文献１】特開２０１０−２５９６９３号公報
【発明の概要】
【発明が解決しようとする課題】
【０００６】
本発明は、以上のような事情に着目してなされたもので、支持フレームが剛性に優れた閉ループ構造を形成している椅子を提供することにある。
【課題を解決するための手段】
【０００７】
すなわち、本発明の椅子は次の構成をなしている。
【０００８】
請求項１に記載の椅子は、金属製のパイプ材により構成され、後脚と、この後脚の下端部に連続させて前方に延出するベースと、このベースの前端に連続し上方に起立する前脚と、この前脚の上端に連続し後方に延出する座受とを直径１５ｍｍ以下の共通のパイプ材により一体に形成し、側面視において閉ループ構造を有した支持フレームと、この支持フレームに肘掛けを介して支持された背凭れとを備えてなる椅子であって、前記背凭れと前記肘掛けとが樹脂により一体に成形されたものであり、前記肘掛けが、前後方向に延び後端が前記背凭れに連設された肘掛け本体と、この肘掛け本体の前端に設けられ前記後脚の上端部に備えた取付部に取り付けられる被取付部とを備えてなり、前記肘掛け本体と前記被取付部とを側面視において屈曲した形状をなすように一体に成形しているものである。
【０００９】
【００１０】
【００１１】
【００１２】
【発明の効果】
【００１３】
以上説明したように本発明によれば、支持フレームが剛性に優れた閉ループ構造を形成している椅子を提供することができる。
【図面の簡単な説明】
【００１４】
【図１】本発明の一実施形態を示す斜視図。
【図２】同実施形態における正面図。
【図３】同実施形態における平面図。
【図４】同実施形態における側面図。
【図５】同実施形態における椅子に他の椅子をスタッキングした状態を示す側面図。
【図６】同実施形態における分解斜視図。
【図７】同実施形態における分解背面図。
【図８】同実施形態における後方斜視図。
【図９】図４におけるＡ−Ａ線拡大断面図。
【図１０】図４におけるＢ−Ｂ線拡大断面図。
【図１１】図３におけるＣ−Ｃ線拡大断面図。
【図１２】同実施形態における背カバーを取り付けた状態の中央側断面図。
【図１３】図３におけるＤ−Ｄ線拡大断面図。
【図１４】他の実施形態を示す図１２対応の概略中央側断面図。
【発明を実施するための形態】
【００１５】
以下、本発明の一実施形態を、図１〜１３を参照して説明する。
【００１６】
この実施形態は、本発明を細径のパイプ材を使用した椅子Ｓに適用したものである。この椅子Ｓは、例えば、オフィスや一般的な会議室、或いは、高齢者の多い施設等において好適に使用される。
【００１７】
椅子Ｓは、肘掛け２及び背凭れである背板３が樹脂により一体に形成されている。そして、肘掛け２の前後方向の寸法は比較的短寸に設定されており、この肘掛け２の前側の部位を、支持フレーム１の左右の後脚１１の上端部に接続させている。すなわち、肘掛け２の肘掛け本体２１は支持フレーム１によって片持ち梁状に支持されており、背板３は肘掛け２を介して支持フレーム１に支持されている。椅子Ｓは、図５において具体的に示すように、同一構造をなす他の椅子Ｓ’を上下方向に複数スタッキング可能に構成されている。なお、説明の便宜上、図５において、椅子Ｓと同一構造をなす他の椅子Ｓ’の符号には「’」を付している。
【００１８】
椅子Ｓは、支持フレーム１と、この支持フレーム１に支持された肘掛け２、背板３、及び、座４とを備えている。背板３には、背カバーＴが着脱可能に取り付けられるようになっている。以下、詳述する。
【００１９】
＜支持フレーム＞
支持フレーム１は、金属製のパイプ材ｔ１を主体に構成されている。本実施形態の椅子Ｓは、パイプ材ｔ１として直径１５ｍｍ以下のものを適用することができ、具体的には、直径約１３．１ｍｍのパイプ材ｔ１が使用されている。支持フレーム１は、上端部で肘掛け２の前側の部位に接続する後脚１１と、後脚１１の下端部に連続させて前方に延出するベース１２と、ベース１２の前端に連続し上方に起立する前脚１３と、前脚１３の上端に連続し後方に延出する座受１４とを備え、これらを共通のパイプ材ｔ１により一体に形成したものである。
【００２０】
後脚１３と座受１４は側面視において交差している。後脚１３と座受１４とは、側面視における後脚１３と座受１４とが交差する位置において、水平杆１５を介して相互に剛結されている。水平杆１５を介して接続する後脚１３及び座受１４の各部分は左右方向に離間している。座受１４は、後脚１３よりも内側に位置している。座受１４の後端は、側面視において後脚１１と座受１４とが交差する位置よりも後方に位置している。
【００２１】
左右の座受１４間には、座４を支持するための帯状をなす前横架材１６と後横架材１７が架設されている。左右のベース１２の前側と後側の部位には、ブロック状をなす樹脂製の接地体１８が取り付けられている。図５に示すように、椅子Ｓに、同一構造をなす他の椅子Ｓ’をスタッキングする際には、他の椅子Ｓ’の接地体１８’の下面が支持フレーム１のベース１２の上面に接するようになっている。
【００２２】
支持フレーム１は、側面視においてループ構造を有している。具体的には、後脚１１と座受１４とがこれらに介在する水平杆１５に対してそれぞれ溶着されており、後脚１１、ベース１２、前脚１３、座受１４、水平杆１５とによって、剛性に優れた閉ループ構造を形成している。
【００２３】
後脚１１は、側面視において床面等の水平面に対して約６５〜７０°の範囲で前傾している。後脚１１の上端部には、肘掛け２の被取付部ｕが取り付けられる取付部ｔを備えている。
【００２４】
取付部ｔは、上方に向かって凸形状を成すものであり、金属製のパイプ材ｔ１と、パイプ材ｔ１の中空部ｔ１１を埋めるように当該中空部ｔ１１に配されるとともに一部分をパイプ材ｔ１の端部から突出させた金属製の芯金部材ｔ２とを備えている。なお、図示している芯金部材ｔ２は、中実のものであるが、中空パイプ状のものであってもよい。また、取付部ｔは、パイプ材ｔ１の要素と中実の芯金部材ｔ２の要素とを一体的に形成したものであっても良い。芯金部材ｔ２におけるパイプ材ｔ１の端部から突出させた突出部分ｔ２１には、芯金部材ｔ２の軸心と直交する方向に第一のねじ孔ｈ１が穿設されている。芯金部材ｔ２は、図６に隠れ線で示すように、後脚１１を構成するパイプ材ｔ１の内部にまで延伸し、当該芯金部材ｔ２の下端は、後脚１１の下部にまで延びており、パイプ材ｔ１の強度を向上させている。なお、支持フレーム１の取付部ｔと肘掛け２の被取付部ｕとの具体的な取り付けについては後述する。
【００２５】
ベース１２は、床面と略平行に配されるものであり、後脚１１の下端と前脚１３の下端との間を繋いでいる。
【００２６】
＜肘掛け＞
肘掛け２は、背板３と樹脂により一体に形成されたもので、後端が背板３に連設された肘掛け本体２１と、肘掛け本体２１の前端に設けられた被取付部ｕとを備えている。肘掛け本体２１と被取付部ｕとは樹脂により一体に形成されている。
【００２７】
肘掛け本体２１は、前後方向に延びるブロック状のもので、肘当て２１１と、肘当て２１１の下面に添接された補強ブロック２１２とを備えている。
【００２８】
肘当て２１１は、床面等の水平面に対して約７°前傾する肘当て面を有した平板状のものである。もちろん、肘当て面の前傾角度は７°のものには限定されない。このように肘当て面を前傾に構成することで、着座者がどのような体格であっても肘掛け２の機能を有効に使うことができるものとなるとともに、着座者が立ち上がる際の補助的機能を有効に発揮するものとなる。肘当て２１１は、その後端部分を背板３における両側端の背面の位置よりも後方に延出させている。肘当て２１１の内側面は、補強ブロック２１２の内側面と面一に設定されている。肘当ての２１１の外側縁は、補強ブロック２１２の外側縁よりも外方に突出している。
【００２９】
補強ブロック２１２は、上縁を肘当て２１１の下面に連続させるとともに前縁を被取付部ｕの外周面に一体化させた複数枚の壁ｋを備えている。本実施形態では、補強ブロック２１２は、左右方向に間隔をあけて平行に配された３枚の壁ｋと、隣接する壁ｋ同士を結合するリブｒとを備えている。リブｒは、図１３に示すように、後方に向かって漸次降下するように傾斜している。また、補強ブロック２１２の後部には、後方に向かって縦長矩形状に開口した後向き開口穴部ｐ１が２箇所に形成され、当該後向き開口穴部ｐ１は左右に並んで設けられている。なお、補強ブロック２１２には、複数の壁ｋの端部とリブｒの端部とによって、下方に向かって縦長矩形状に開口した下向き開口穴部ｐ２が６箇所に形成されている。補強ブロック２１２は、複数の後向き開口穴部ｐ１と下向き開口穴部ｐ２を備えているので、使用者が椅子Ｓを持ち運びする際に各開口穴部ｐ１、ｐ２に手指が引っ掛かり易いものとなり、滑り止めとしての機能を発揮し得るものとなっている。
【００３０】
被取付部ｕは、支持フレーム１の後脚１１に接続する部位をなすもので、下方に開口する有底筒状のものである。被取付部ｕの前後方向の外径寸法は、被取付部ｕの左右方向の外径寸法よりも小さく設定されている。被取付部ｕにおける開口部付近の下端部と肘当て２１１に連設する上端部を除いた部分、すなわち、被取付部ｕにおける上下中間部分における左右方向の外径寸法は、略同じ寸法に設定されている。被取付部ｕは、パイプ材ｔ１の外径よりも小径な突出部分ｔ２１に嵌合する嵌合凹部ｕ１と、パイプ材ｔ１に嵌合する外嵌合部ｕ２とを備えている。換言すれば、被取付部ｕは、突出部分ｔ１が嵌合する小径穴ｍ１と、小径穴ｍ１に連続しパイプ材ｔ１が嵌合する大径穴ｍ２とを具備している。
【００３１】
本実施形態の椅子Ｓは、図５に示すように、同一構造をなす他の椅子Ｓ’の被取付部ｕ’が、被取付部ｕに当接する状態で当該他の椅子Ｓ’をスタッキングできるようになっている。より具体的に言えば、他の椅子Ｓ’の被取付部ｕ’の背面と、椅子Ｓの被取付部ｕの前面とが当接する状態でスタッキングできるようになっている。
【００３２】
そして、図１０に示すように、被取付部ｕにおける支持フレーム１の後側に位置する部位ｕｂ、すなわち、後脚１１の後側に位置する部位ｕｂの肉厚ｗ２は、被取付部ｕにおける支持フレーム１の前側に位置する部位ｕｆ、すなわち、後脚１１の前側に位置する部位ｕｆの肉厚ｗ１よりも薄く設定されている。換言すれば、後脚１１の後側に位置する部位ｕｂの前後方向の厚み寸法ｗ２は、被取付部ｕにおける支持フレーム１の前側に位置する部位ｕｆの前後方向の厚み寸法ｗ１よりも短く設定されている。このようにすることで、スタッキングに伴う前後方向のピッチを短くするようにしている。
【００３３】
被取付部ｕは、側部に第一のねじ挿通孔ｎ１を備えている。そして、芯金部材ｔ２の突出部分ｔ２１に設けられた第一のねじ孔ｈ１に、第一のねじ挿通孔ｎ１を通過したねじｖ１を螺着することにより支持フレーム１の取付部ｔと肘掛け２の被取付部ｕとを取り付けるようにしてある。被取付部ｕは、後部に第二のねじ挿通孔ｎ２を備えている。そして、パイプ材ｔ１及び芯金部材ｔ２に、これらパイプ材ｔ１及び芯金部材ｔ２の軸心と直交する方向に連通して設けられた第二のねじ孔ｈ２に、第二のねじ挿通孔ｎ２を通過したねじｖ２を螺着することにより支持フレーム１の取付部ｔ１と肘掛け２の被取付部ｕとを取り付けるようにしてある。
【００３４】
また、肘掛け２は、図４等に示すように、肘掛け本体２１と被取付部ｕとが側面視においてくの字状に屈曲した形状をなすように樹脂により一体に成形されている。そして、嵌合凹部ｕ１が、肘掛け本体２１と被取付部ｕとによって形成された屈曲部分Ｆに位置するように設定されている。このように構成することにより、荷重が集中し易い屈曲部分Ｆにおける樹脂の肉厚を多く得るようにしている。
【００３５】
なお、本実施形態の椅子Ｓは、肘掛け本体２１とこの肘掛け本体２１の前端に設けられた被取付部ｕによって側面視くの字形状を構成しており、一般的な肘掛けのように後部分を片持ち支持されて前部分を突出端としているものとは異なった構成となっている。このため、椅子Ｓは、着座状態から起立する際に着座者の被服等が、肘掛け２に引っ掛かりにくくなり、好適である。
【００３６】
＜背板＞
背板３は、板状をなした樹脂製のものであり、平面視において中央部が平面視において後方に向かって凸となるように湾曲した形状をなしている。背板３は、上端部に側面視において後方に向かって屈曲する屈曲部３１と、下端に外方に向けて開放された溝３２とを備えている。
【００３７】
背板３は、肘掛け２とともに樹脂により一体に成形されたものであり、溝３２は、背板３の下縁における左右の肘掛け２間に形成されている。溝３２は、下向きに開口しているものである。この溝３２は、背カバーＴを取り付ける際に用いられるものであるが、下方に向けて開口しているため、背カバーＴを取り付けない場合であっても外観に影響を与えにくいようになっている。背板３に対する背カバーＴの取り付けについては後述する。
【００３８】
背板３の左右幅寸法は、支持フレーム１の左右のベース１２間の離間寸法よりも短く設定されている。なお、背板３の左右縁部から外側方に突出した態様で設けられた左右の肘掛け２は、左右のベース１２の略真上に位置するように設定されている。
【００３９】
＜座＞
座４は、支持フレーム１に支持されるものであり、樹脂により形成された座本体４１と、座本体４１の上に配されたクッション４２とを備えたものである。座４は、先端部が下方に垂れ下がった形状をなしている。
【００４０】
座本体４１は、左右側縁部における後側の部位に、支持フレーム１の水平杆１５の覆うためのカバー部４１１を備えている。カバー部４１１は、水平杆１５の周囲と後脚１１の前後に位置するようになっており、具体的に言えば、水平杆１５の上面側を覆う上カバー部４１１ａと、水平杆１５の前後側を覆うとともに後脚１１の前後側を覆う位置まで延出した前後カバー部４１１ｂとを備えている。
【００４１】
クッション２２は、クッション性のあるスポンジ素材の外面に張り地を張り設けた通常のものである。
【００４２】
＜背カバー＞
背カバーＴは、背板３の少なくとも一部を覆うものである。背カバーＴは、背カバー本体Ｔ１と、背カバー本体Ｔ１の下部に配された挿入部Ｔ２とを備えてなる。
【００４３】
背カバー本体Ｔ１は、布や人工皮革等のシート状の素材により作られるもので、主として背板３の前面側に配される前カバー部Ｔ１ａと、主として背板３の後面側に配される後カバー部Ｔ１ｂとを備えている。これら前後カバー部Ｔ１ａ、Ｔ１ｂの上縁部及び側縁部同士を縫い合わせることにより、下方に向かって開口された袋状部Ｔ１１が形成されている。このようにして背カバーＴの上部に設けられた袋状部Ｔ１１は、背板３に被せるためのもので、背板３の屈曲部３１と協働して装着時の位置ずれを抑制している。なお、前カバー部Ｔ１ａの後側や袋状部Ｔ１１の内面には、クッション性を付与したり装着安定性を付与したりするべく、別途クッション素材を設けるようにしても良い。
【００４４】
挿入部Ｔ２は、背カバーＴを背板３に取り付ける際に、背板３に形成された溝３２に挿入されるもので、本実施形態においては、背カバー本体Ｔ１の下端に縫いつけられた樹脂製の帯状部材により構成されている。
【００４５】
背カバーＴの背板３への取り付けは、まず、背板３の上端部に袋状部Ｔ１１を被せて所定の箇所に位置決めし、しかる後に、背カバー本体Ｔ１の下端に設けた挿入部Ｔ２の先端を背板３の下端に形成された溝３２に差し入れて、背カバー本体Ｔ１の下縁部分とともに溝３２の内部に押し込むことにより行われる。
【００４６】
なお、背カバーＴの上部を袋状にして背板３の上部に被せるようにする場合、本実施形態に示すように、背板３の上縁部には溝を設けず、下縁のみに溝３２を設けるようにするのが好適である。このようにすると、背カバーＴを背板３に装着しない場合には、背板３の上縁部には溝が表出しないため外観がすっきりとするものとなり、背カバーＴは上部が袋状をなしているため背板３に対しても位置ずれが抑制された態様で取り付けることができるものとなる。
【００４７】
以上説明したように、本実施形態に係る椅子Ｓは、背板３と、この背板３の少なくとも一部を覆う背カバーＴとを備えており、背板３が、周縁部の少なくとも一部に外方に向けて開放された溝３２を備えてなり、背カバーＴが、溝３２に挿入された挿入部Ｔ２を備えている。このため、背板３に対する背カバーＴの取り付けが、挿入部Ｔ２を溝３２に挿入することにより行われるため、構造の複雑化を抑制し得る背カバーＴを備えた椅子Ｓを提供することができる。
【００４８】
背板３が、合成樹脂により肘掛け２と一体に成形されたものであり、溝３２が背板３の下縁に形成されているので、構造の複雑化が抑制された背カバーＴを取り付ける態様のものにおいても、使用者から見て溝３２の存在が視認されにくく、背板３と一体に設けられた肘掛け２が存在するものにも好適に適用できる背カバーＴを備えた椅子Ｓを提供するものとなる。
【００４９】
背板３の溝３２が、背板３の下縁における左右の肘掛け２間に形成されているので、構造の複雑化が抑制された背カバーＴを取り付ける態様においても、使用者から見て溝３２の存在が視認されにくく、当該視認されにくい溝３２に挿入部Ｔ２を挿入することにより背カバーＴを背板３に好適に取り付けることができるものとなる。しかも、溝３２が、下向きに開口しているので、使用者からより一層視認されにくいものとなるとともに、装着された挿入部Ｔ２が離脱し難いものとなる。
【００５０】
背カバーＴが、上部に背板３に被せるための袋状部Ｔ１１を備えるとともに下部に背板３の下縁に設けた溝３２に挿入された挿入部Ｔ２を備えたものであるので、背板３の上部及び下部に対する取り付けが容易なものとなる。
【００５１】
肘掛け本体２１が、肘当て２１１と、肘当て２１１の下面に添接された補強ブロック２１２とを備えたものであるため、強度に優れた肘掛け本体２１を提供することができ、上下方向の寸法を抑制することによりスタッキング効率の良好に寄与し得るものとなる。
【００５２】
補強ブロック２１２が、上縁を肘当て２１１の下面に連続させるとともに前縁を被取付部ｕの外周面に一体化させた複数枚の壁ｋを備えたものであるので、いわゆる構造材として軽量化に優れるとともに強度に優れたものとなる。
【００５３】
肘掛け本体２１における補強ブロック２１２のリブｒが、後方に向かって漸次降下するように傾斜しているため、個性的な外観の表出に寄与し得るものとなるとともに、壁ｋとリブｒにより構成される下向き開口穴部ｐ２の数や大きさを設定し易いものとなる。
【００５４】
なお、本発明は、以上に詳述した実施形態に限られるものではない。
【００５５】
上述した実施形態では、背カバーＴを取り付けるための溝が、背板の下縁にのみ形成されているものを示したが、これに限定されるものではなく、溝を背板の周囲に適宜形成するようにしてもよい。
【００５６】
例えば、図１４に示すものが考えられる。図１４は他の実施形態を示す部分拡大図であり、上述した実施形態と同一又は対応する構成については同一の符号を用いて説明し、詳細な説明を省略する。図１４に示すように、背板３を、上縁と下縁のそれぞれに溝３２を設けたものとし、これら上縁と下縁の各溝３２にそれぞれ挿入されるべき挿入部Ｔ２を有した背カバーＴを背板３に取り付けるようにするものが考えられる。
【００５７】
上述した実施形態では、背カバーの挿入部が、帯状であるものを示したが、これに限定されるものではない。例えば、挿入部がコード部材や紐等の線状体であってもよい。
【００５８】
【００５９】
上述した実施形態では、被取付部が嵌合凹部と外嵌合部とを備えたものを示したが、これに限定されるものではなく、少なくとも取付部の突出部分が内嵌される嵌合凹部を備えたものであれば良い。
【００６０】
上述した実施形態では、被取付部における支持フレーム（後脚）の後側に位置する部位の肉厚が、被取付部における支持フレームの前側に位置する部位の肉厚よりも薄く設定されているものを示したが、これに限定されるものではなく、逆に、被取付部における支持フレームの前側に位置する部位の肉厚が、被取付部における支持フレームの後側に位置する部位の肉厚よりも薄く設定されているものであってもよい。
【００６１】
上述した実施形態では、椅子に同一構造をなす他の椅子をスタッキングする際に、同一構造をなす他の椅子の被取付部ｕが、椅子の被取付部に当接するものを示したが、これに限定されるものではなく、近接するものであれば良い。
【００６２】
上述した実施形態では、支持フレームのループ構造は、水平杆の存在を前提としているものであったが、このようなものには限定されず、水平杆の無い態様でループ構造を形成するようにしても良い。例えば、後脚と座受とを溶接等により直接接続する態様などが考えられる。
【００６３】
上述した実施形態では、椅子に同一構造をなす他の椅子をスタッキング可能なものとして説明していたが、必ずしも同一構造をなす他の椅子をスタッキング可能に構成していなくても良い。
【００６４】
上述した実施形態では、取付部に第一のねじ孔と第二のねじ孔を設け、これらにねじをそれぞれ螺着させて被取付部を取り付けるようにしたいわゆる２箇所ねじ止め構造を有するものについて説明をしたが、必ずしも、このような構成に限定されるものではなく、１箇所ねじ止め構造であってもよい。例えば、第一のねじ孔に第一のねじを螺着して取り付けるだけの構成としても良いし、第二のねじ孔に第二のねじを螺着して取り付けるだけの構成としても良い。
【００６５】
【００６６】
その他、各部の具体的構成についても上記実施形態に限られるものではなく、本発明の趣旨を逸脱しない範囲で種々変形が可能である。
【符号の説明】
【００６７】
１…支持フレーム
２…肘掛け
３…背凭れ
４…座
３２…溝
Ｔ…背カバー
Ｔ１…背カバー本体
Ｔ２…挿入部
Ｔ１１…袋状部